(57)【要約】      （修正有）【課題】クレー系グラウンドで生じる塵埃や砂塵を、簡便に外部に飛散させないで処理でき、近隣対策が施されて便利な防塵用緑化フェンスを提供する。【解決手段】グラウンド１又はコートの外周に設置され、緑化フェンスをなす線材２０の上部２１に、水やり自在な散水パイプ５が取り付けられており、線材２０に絡まった植物への散水パイプ５からの水やりによって、植物に付着した塵埃や砂塵の流下と植物の湿潤が自在に構成されている。散水パイプ５には、水やり用の小孔５０が多数設けられている。【選択図】図１
0003178600.tif 000002
【実用新案登録請求の範囲】
【請求項１】
グラウンド又はコートの外周に設置され、前記グラウンド内又はコート内から生じる塵埃や砂塵の飛散を防ぐ防塵用の緑化フェンスであって、
前記緑化フェンスをなす線材の上部に、水やり自在な散水パイプが取り付けられており、線材に絡まった植物への前記散水パイプからの水やりによって、前記植物に付着した塵埃や砂塵の流下と当該植物の湿潤が自在に構成されていることを特徴とする防塵用緑化フェンス。
【請求項２】
緑化フェンスの上部に取り付けられる散水パイプには、水やり用の小孔が多数設けられていることを特徴とする請求項１に記載した防塵用緑化フェンス。
【請求項３】
緑化フェンスの下部の近傍位置に、側溝が設けられていることを特徴とする請求項１又は２に記載した防塵用緑化フェンス。
【考案の詳細な説明】
【技術分野】
【０００１】
本考案は、クレー系のグラウンド内から生じる塵埃や砂塵の外部への飛散を防ぐ防塵用緑化フェンスの技術分野に関する。
【背景技術】
【０００２】
昨今、校庭のグラウンドは、全天候化舗装が進んできているが、東日本大震災を機に、クレー舗装された土系グラウンドが見直されている。
【０００３】
というのは、全天候型グラウンドの場合、災害時にそこを仮設住宅の建設や災害避難所の設置に供しようとすると、その全天候型グラウンドを構成するゴムやアクリルが発火しやすく危険であったり、そもそもアスファルトを除去しての施工となって大変面倒である等の問題が生じる。
【０００４】
この点、クレー舗装された土系のラウンドであれば、災害時の仮設住宅の建設や災害避難所の設置に容易であり、また災害支援活動の提供場所にも好適であり、そのクレー系ラウンドの外周には目隠し用のフェンスを設置することが考えられる。
【０００５】
この点、下記特許文献１には、目隠し用の人工目隠し材と植物等が絡み付くネットフェンスとを具備したことを特徴とする目隠し緑化フェンスが記載されている（請求項１参照）。
【先行技術文献】
【特許文献】
【０００６】
【特許文献１】特開平１１−１５９１９９号公報
【考案の概要】
【考案が解決しようとする課題】
【０００７】
前記特許文献１に開示された発明は、目隠し用の人工目隠し材と植物等が絡み付くネットフェンスであり、このフェンスをクレー系グラウンドの外周に設置することで、同クレー系グラウンドで生じる塵埃や砂塵を、そのネットフェンスと絡み付く植物で、一応外部への飛散を止められるかもしれない。
【０００８】
しかし、クレー系グラウンドで生じる塵埃や砂塵は、自然降雨や人工的な散水をしない限り、風で舞い上がっていまい、ネットフェンスを越えて外部に吹き飛ばされてしまう問題がある。グラウンド内に設けられるスプリンクラーでは、グラウンド外周のフェンス（植物）に対しうまく散水するには、その設置や管理が難しい。
【０００９】
しかるに、本考案が解決しようとする課題は、クレー系グラウンドで生じる塵埃や砂塵を、簡便に外部に飛散させないで処理でき、近隣対策が施されて便利な防塵用緑化フェンスを提供することにある。
【課題を解決するための手段】
【００１０】
上記課題を解決するための手段として、請求項１記載の考案の防塵用緑化フェンスは、グラウンド１又はコートの外周ａに設置され、前記グラウンド１内又はコート内から生じる塵埃１０や砂塵１１の飛散を防ぐ防塵用の緑化フェンス２であって、
前記緑化フェンス２をなす線材２０の上部２１に、水やり自在な散水パイプ５が取り付けられており、線材２０に絡まった植物９への前記散水パイプ５からの水やりによって、前記植物９に付着した塵埃１０や砂塵１１の流下と当該植物９の湿潤が自在に構成されていることを特徴とする。
【００１１】
請求項２記載の考案は、前記緑化フェンス２の上部２１に取り付けられる散水パイプ５には、水やり用の小孔５０が多数設けられていることを特徴とする。
【００１２】
請求項３記載の考案は、前記緑化フェンス２の下部２２の近傍位置に、側溝７０が設けられていることを特徴とする。
【考案の効果】
【００１３】
請求項１記載の考案の防塵用緑化フェンスは、グラウンド又はコートの外周に設置され、前記グラウンド内又はコート内から生じる塵埃や砂塵の飛散を防ぐ防塵用の緑化フェンスであって、前記緑化フェンスをなす線材の上部に、水やり自在な散水パイプが取り付けられているため、線材に絡まった植物への前記散水パイプからの水やりによって、前記植物に付着した塵埃や砂塵の流下と当該植物の湿潤が維持され、グラウンド等内で生じた塵埃や砂塵は、極力外部に漏らさない近隣対策が実現され、かかる近隣住民とグラウンド内で活動する者の健康管理上よい。
【００１４】
また、請求項２の防塵用緑化フェンスでは、緑化フェンスの上部に取り付けられる散水パイプに、水やり用の小孔が多数設けられているから、適宜この小孔からの水やりにより、当該散水パイプの線材に絡まった植物に付着した塵埃や砂塵を流下させることができる。と共に、当該植物の湿潤が維持され、グラウンド内外の環境にも配慮されている。
【００１５】
そして、散水パイプの小孔からの水やりにより、当該散水パイプの線材に絡まった植物に付着した塵埃や砂塵は、下方に流し落とされ、請求項３のように、緑化フェンスの下部の近傍位置に設けられた側溝にそのまま流されるので、外部への飛散を効果的に防ぐことができる。
【図面の簡単な説明】
【００１６】
【図１】Ａ、Ｂは、本考案の防塵用緑化フェンスを示した正面図と側面図である。
【００１７】
【図２】防塵用緑化フェンスの散水パイプを示した部分拡大図である。
【００１８】
【図３】本防塵用緑化フェンスとその中の仮設住宅を外側から示した斜視図である。
【００１９】
【図４】本防塵用緑化フェンスの設置要領を平面方向から示した説明図である。
【考案を実施するための最良の形態】
【００２０】
請求項１〜３に係る防塵用緑化フェンスの好適な実施形態について、以下図面に従いながら説明する。なお、本防塵用緑化フェンスは、図示説明を省略した土系のコートにおいても同様に実施可能である。
【００２１】
図１は、本実施形態の防塵用緑化フェンスの全体構造を示したものである。この防塵用緑化フェンスは、図４に示したようなクレー舗装された所謂クレー系グラウンドにおいて好適に実施される。すなわち、当該クレー系グラウンド１の外周ａに、同グラウンド１内から生じる塵埃１０や砂塵１１の飛散を防ぐため、以下の緑化フェンス２が設置される。
【００２２】
この防塵用の緑化フェンス２は、例えば縦・横の金網で成る線材２０・・・によって格子状に形成されている。当該緑化フェンス２の上部２１と下部２２は、上下に各々水平配置された横パイプ２３、２３に対し、それぞれ結束バンド２５・・・で結束されて固定されている。
【００２３】
そして、図１に示した１つの緑化フェンス２Ａと、隣り合う他の緑化フェンス２Ｂとは、縦パイプ２４（支柱）を介して結束バンド２５で固定されている。この緑化フェンス２に、植物９が絡まれている。当該植物９としては、常緑樹が好適である。
【００２４】
前記防塵用緑化フェンス２（線材２０）の上部２１に対し、水やり自在な散水パイプ５が、結束バンド２４によって取り付けられている。
【００２５】
図２に、散水パイプ５を拡大して部分的に示した。散水パイプ５は、プラスチック製や金属製若しくはそれらの複合で成り、その内部に水ｂを挿通可能に形成されている。そして、この散水パイプ５の内部の水ｂを外部へ散水自在なように、当該散水パイプ５には、全長に亘って小さな貫通孔に形成された小孔５０・・・が、所定間隔をあけて複数設けられている。
【００２６】
また、前記緑化フェンス２の下部２２の近傍位置には、側溝７０が設けられている（図４参照）。
【００２７】
上述した緑化フェンス２は、図４に示したように、グラウンド１の外周ａの一部、例えば、道路に面したエリアに通例設置される。校舎９０や体育館９１に面していない道路方向には民家が建っていることが多く、近隣住民への塵埃１０や砂塵１１の飛散防止を図るためである。
【００２８】
また、前記緑化フェンス２の内側には、グラウンド１内から生じる塵埃１０や砂塵１１を吸着自在な天然芝３０（又は人工芝）が舗装されて成る防塵芝エリア３を備える実施形態が好適である。
【００２９】
なお、前記緑化フェンス２の外側には、支柱６１・・・で広範囲に高く支持された防球ネット６が設置されて実施されることが多い。当該防球ネット６の下方部に、上下方向に可動自在な防砂ネット（図示は省略）を取り付けられ、ボールの外部への放出を防ぐと共に、塵埃１０や砂塵１１の飛散を効果的に防止することができる。
【００３０】
したがって、クレー系のグラウンド１で生じる塵埃１０や砂塵１１は、まず最初に内側の防塵芝エリア３で堆積される。堆積されないで浮遊する塵埃１０や砂塵１１は、緑化フェンス２と同緑化フェンス２に絡まった植物９に付着して拡散が防止される。
【００３１】
そして、散水パイプ５から適宜の水やりによって、緑化フェンス２の線材２０に絡まった植物９に付着した塵埃１０や砂塵１１が下方へ流し落とされ、つづいて下方の側溝７０へと誘導される（図３、図４参照）。よって、グラウンド１内で生じた塵埃１０や砂塵１１の外部への飛散を効果的に抑えられる。
【００３２】
かくして、本実施形態の防塵用緑化フェンス２は、大地震等の災害時に、図３、図４に示した如く、当該グラウンド１内に仮設住宅８を建設したり、災害避難所の設置等に際しても好適に使用される。
【符号の説明】
【００３３】
１      グラウンド
ａ      外周
１０    塵埃
１１    砂塵
２      緑化フェンス
２０    線材
２１    上部
２２    下部
５      散水パイプ
５０    小孔
７０    側溝
９      植物
【図１】
0003178600.tif 000003
【図２】
0003178600.tif 000004
【図４】
0003178600.tif 000005
【図３】
0003178600.tif 000006